(57)【特許請求の範囲】
【請求項１】
筐体と、
前記筐体を構成し、外周が略Ｌ字形状に折り曲げられた天板と、
外部から電力を受電するための端子部と、
下端側が前記筐体の側面に固定され、鉛直方向に回動して前記筐体の側面と接しない状態となることにより前記端子部が露出し、鉛直方向に回動して前記筐体の側面と接した状態になることにより前記端子部を覆うカバーとを備え、
前記カバーを鉛直方向に回動させて前記筐体の側面と接した状態で前記天板を前記筐体に取り付けることにより前記カバーの一部が前記天板の折り曲げられた部分の内側に位置し、前記天板を取り付けた後に前記カバーが鉛直方向に回動して前記筐体の側面と接しない状態となり前記端子部が露出することを防ぐ電源装置。
【請求項２】
カバーは、カバー台部と前記カバー台部に対してスライド可能に取り付けられたカバー部とから構成され、
前記カバー台部が筐体の側面に固定され、前記カバー部が回動可能であり、
前記カバー台部は前記筐体と接する面に対して直角方向に位置する対向する２つの面各々に長穴を備え、
前記カバー部は対向する２つの面各々の内側にかしめナットを備え、
前記カバー台部の長穴と前記カバー部のかしめナットにより前記カバー部が前記カバー台部に対してスライド可能に取り付けられ、
前記カバー部の外側から前記かしめナットにボルトを螺合させ、さらに前記カバー台部の内側からワッシャを介して前記ボルトにナットを螺合した請求項１記載の電源装置。
【発明の詳細な説明】
【技術分野】
【０００１】
本発明は、外部機器から受電して動作を行う溶接電源装置等の電源装置に関するものであり、特に、この電源装置に取り付けられるカバーに関するものである。
【背景技術】
【０００２】
従来の電源装置は、入力側の配線として電源装置の筐体の一部を開口して端子台を設け、この端子台を用いて外部の機器とケーブル接続して受電する構造であった。そして、端子台の接続部が露出することによる感電を防止するために入力端子カバーを設けた構造であった（例えば特許文献１参照）。その入力端子カバーは、電源装置の外側から取り外せる構造であり、入力端子カバーを取り外した後に取り付けなかったり、入力端子カバーが外れたりする場合がった。
【０００３】
電源装置の一例である溶接電源装置について、図８を用いて説明する。
【０００４】
図８において溶接電源装置２１は、図示しない入力端子台を備え、この入力端子台を入力端子カバー２２で覆う構造となっている。
【特許文献１】意匠登録第１１３８４６１号公報
【発明の開示】
【発明が解決しようとする課題】
【０００５】
従来の溶接電源装置２１は、入力側の配線として溶接電源装置２１に端子台を設け、図示しない外部機器から受電するためにケーブルを接続する構造であり、接続部の露出を防ぐために入力端子カバー２２を設けた構造であった。その入力端子カバー２２は、溶接電源装置２１の外側から取り外せる構造であり、入力端子カバー２２を取り外した後に入力端子カバー２２を取り付けなかったり入力端子カバー２２が外れる場合があった。
【０００６】
本発明の電源装置は、入力端子カバーをスライド可能な構造し、その入力端子カバーは、溶接電源の天板を外さなければ開けることのできない構造とすることにより、安全性を向上した電源装置を提供することを目的とする。
【課題を解決するための手段】
【０００７】
上記課題を解決するために、本発明の電源装置は、筐体と、前記筐体を構成し、外周が略Ｌ字形状に折り曲げられた天板と、外部から電力を受電するための端子部と、下端側が前記筐体の側面に固定され、鉛直方向に回動して前記筐体の側面と接しない状態となることにより前記端子部が露出し、鉛直方向に回動して前記筐体の側面と接した状態になることにより前記端子部を覆うカバーとを備え、前記カバーを鉛直方向に回動させて前記筐体の側面と接した状態で前記天板を前記筐体に取り付けることにより前記カバーの一部が前記天板の折り曲げられた部分の内側に位置し、前記天板を取り付けた後に前記カバーが鉛直方向に回動して前記筐体の側面と接しない状態となり前記端子部が露出することを防ぐものである。
【０００８】
また、本発明の電源装置は、上記に加え、カバーは、カバー台部と前記カバー台部に対してスライド可能に取り付けられたカバー部とから構成され、前記カバー台部が筐体の側面に固定され、前記カバー部が回動可能であり、前記カバー台部は前記筐体と接する面に対して直角方向に位置する対向する２つの面各々に長穴を備え、前記カバー部は対向する２つの面各々の内側にかしめナットを備え、前記カバー台部の長穴と前記カバー部のかしめナットにより前記カバー部が前記カバー台部に対してスライド可能に取り付けられ、前記カバー部の外側から前記かしめナットにボルトを螺合させ、さらに前記カバー台部の内側からワッシャを介して前記ボルトにナットを螺合したものである。
【発明の効果】
【０００９】
以上のように、本発明の電源装置によれば、天板を外さなければ端子部を覆っているカバーを開放することができず、また、カバーを開放していない状態ではカバーを電源装置の筐体からとり外すことができない構造とすることにより、安全性を向上した電源装置を実現することができる。
【００１０】
また、カバーをカバー部と前記カバー台部とから構成し、カバー部を前記カバー台部に対してスライド可能な構成とすることにより、端子部における作業性を向上することができる。
【発明を実施するための最良の形態】
【００１１】
（実施の形態）
以下、本発明の実施の形態について、図１から図７を用いて説明する。
【００１２】
図１は、電源装置の一例である溶接電源装置１の外観斜視図である。図１において、溶接電源装置１の筐体側面に後述する入力端子台５をカバーするための入力端子カバー２が取り付けられている。また、溶接電源装置１の上面には、天板６が取り付けられている。この天板６の外周部は後述するように鉛直下側へ略Ｌ字形状に折り曲げられている。
【００１３】
図２は、図１における入力端子カバー２を開けた状態を示す要部拡大図である。図２において、溶接電源装置１の側面には外部から電力を受電するための入力端子台５が設けられている。そして、この入力端子台５を覆う入力端子カバー２は、入力端子カバー部３と入力端子カバー台部４とから構成される。なお、入力端子カバー部３と入力端子カバー台部４とは後述する構造により締結されている。また、入力端子カバー台部４を溶接電源装置１の筐体に取り付けることで入力端子カバー２が筐体に取り付けられる。なお、入力端子カバー部３には突出部７が設けられている。
【００１４】
図３は、入力端子カバー部３と入力端子カバー台部４の概略構成を示す図である。図３に示すように、入力端子カバー部３には対向する２つの面の各々にかしめナット（クリンチングナット）８が設けられている。そして、入力端子カバー台部４には、溶接電源装置１の筐体と接する面に対して直角方向に位置する対向する２つの面各々に長穴９が設けられている。
【００１５】
図４は、入力端子カバー部３と入力端子カバー台部４との締結過程を示す図である。図４において、例えば、入力端子カバー部３を外側に開いてかしめナット６を入力端子カバー台部４の長穴９にはめる、あるいは、入力端子カバー台部４を内側に閉じて長穴９を入力端子カバー部３のかしめナット６にはめる。このようにして入力端子カバー部３と入力端子カバー台部４とを一体とする。さらに、入力端子カバー部３の外側からかしめナット６に対してボルト１０を螺合させ、さらに、入力端子カバー台部４の内側からワッシャ１１を介してナット１２をボルト１０に螺合させ、入力端子カバー部３と入力端子カバー台部４とを締結する。図５は締結部の要部拡大図である。このようにナット６を入力端子カバー台部４の内側から螺合させることにより、入力端子カバー２で入力端子台５をカバーした状態で外部から取り外すことはできない。
【００１６】
そして、図６に示すように、入力端子カバー台部４を溶接電源装置１の筐体の側面に取り付けることにより入力端子カバー２を筐体に取り付ける。なお、入力端子カバー台部４の筐体への取り付けは、例えば、入力端子カバー台部４に貫通穴を設け、筐体にねじ穴を設け、図示しないボルトを入力端子カバー台部４の貫通穴を通して筐体のねじ穴に螺合させることにより行う。また、そのボルトを固定する位置は、入力端子カバー２で入力端子台５をカバーした状態で外部から取り外しできない位置とする。そして、外部機器から受電するためのケーブル１３を入力端子カバー台部４に設けられたケーブル通過穴を通し、ケーブル１３を入力端子台５に接続する。それから、図１に示すように入力端子カバー２により入力端子台５を覆った状態とし、その状態で天板６を取り付けて天板６を固定する。これにより、図７に示すように入力端子カバー部３の一部である突出部７が天板６の折り曲げられた部分の内側に位置することとなり、天板６を取り付けた後に入力端子カバー部３が水平方向に回動して入力端子台５が露出することを防ぐことができる。すなわち、天板６を外さなければ入力端子カバー部３を開けることはできない。
【００１７】
なお、本実施の形態の入力端子カバー２は入力端子カバー部３と入力端子カバー台部４とから構成され、入力端子カバー部３は入力端子カバー台部４に対してスライド可能な機構である。従って、入力端子部５にケーブル１３を着脱する際等に入力端子カバー部３をスライドさえることで入力端子カバー２における作業スペースを広く確保することができ作業性を向上させることができる。例えば、スライド機構ではなく、単に入力端子カバー部３が回動可能な構造である場合、図６に示すようにケーブル１３を通した状態で入力端子カバー２を開放するために入力端子カバー部３を回動させると、入力端子カバー部３がケーブル１３に当たり入力端カバー部３を広く開放することができず作業が困難となるが、本実施の形態の入力端子カバー２はスライド機構を有しているので、入力端子カバー台部４に対して入力端子カバー部３をスライドさせ、それから入力端子カバー部３を回動させて入力端子カバー２を開放させることができ、これによりケーブル１３を着脱する等の作業を容易に行うことができる。
【００１８】
以上のように、本実施の形態の溶接電源装置１によれば、天板６を外さなければ入力端子部５を覆っている入力端子カバー２を開放することができず、また、入力端子カバー２を開放していない状態では入力端子カバー２を溶接電源装置１の筐体からとり外すことができない構造とすることにより、安全性を向上した溶接電源装置１を実現することができる。
【００１９】
また、入力端子カバー２を入力端子カバー部３と入力端子カバー台部４とから構成し、入力端子カバー部３を入力端子カバー台部４に対してスライド可能な構成とすることにより、入力端子部５におけるケーブル１３の接続等の作業性を向上することができる。
【産業上の利用可能性】
【００２０】
本発明の電源装置は、入力端子部の露出を防ぐことができ、安全性を向上することができるので、外部から電力を受電して動作する電源装置として産業上有用である。
【図面の簡単な説明】
【００２１】
【図１】本発明の実施形態における溶接電源装置の概略構成を示す図
【図２】本発明の実施形態における溶接電源装置のカバーを開放した状態を示す要部拡大図
【図３】本発明の実施形態における入力端子カバーを構成する入力端子カバー部と入力端子カバー台部の概略構成を示す図
【図４】本発明の実施形態における入力端子カバーの概略構成を示す図
【図５】本発明の実施形態における入力端子カバー部と入力端子カバー台部との締結箇所の拡大図
【図６】本発明の実施形態における溶接電源装置のカバーを開放した状態を示す要部拡大図
【図７】本発明の実施形態における天板と入力端子カバー部の突出部との位置関係を示す拡大要部断面図
【図８】従来の溶接電源装置の概略構成を示す図
【符号の説明】
【００２２】
１  溶接電源装置
２  入力端子カバー
３  入力端子カバー部
４  入力端子カバー台部
５  入力端子台
６  天板
７  突出部
８  かしめナット
９  長穴
１０  ボルト
１１  ワッシャ
１２  ナット
１３  ケーブル
２１  溶接電源装置
２２  入力端子カバー
【図１】
0004631904.tif 000002
【図２】
0004631904.tif 000003
【図３】
0004631904.tif 000004
【図４】
0004631904.tif 000005
【図５】
0004631904.tif 000006
【図６】
0004631904.tif 000007
【図７】
0004631904.tif 000008
【図８】
0004631904.tif 000009